Podtech/llm-jp-corpus-v4-ja_patent huggingface dataset:
(57)【要約】      （修正有）【課題】眼鏡を拭くときに眼鏡拭きが手から滑ることを防止できる眼鏡拭きを提供する。【解決手段】繊維布材を用いて眼鏡を拭く眼鏡拭き１００であって、眼鏡の表面を拭く、繊維布材を配置した表面部１１と、表面部の反対側で、ゴムからなる合成樹脂シート部材を配置した裏面部１２とを備える。【選択図】図１
0003200073.tif 000002
【実用新案登録請求の範囲】
【請求項１】
繊維布材を用いて眼鏡を拭く眼鏡拭きであって、
前記眼鏡に接触させて、該眼鏡の表面を拭く、前記繊維布材を配置した表面部と、
前記表面部の反対側で、合成樹脂シート部材を配置した裏面部とを備える、
ことを特徴とする眼鏡拭き。
【請求項２】
前記合成樹脂シート部材は、天然ゴム又は合成ゴムであることを特徴とする、請求項１に記載の眼鏡拭き。
【請求項３】
前記合成樹脂シート部材は、合成樹脂を霧状にして付着させたことを特徴とする、請求項１又は請求項２に記載の眼鏡拭き。
【考案の詳細な説明】
【技術分野】
【０００１】
本考案は、繊維布材を用いて眼鏡を拭く眼鏡拭きに関する。
【背景技術】
【０００２】
特許文献１では、レンズと枠とからなる眼鏡を拭くための眼鏡拭き用クロスであって、前記レンズを拭くためのレンズ拭き専用領域と、前記枠を拭くための枠拭き専用領域と、に視覚により識別できるようにしたことを特徴とする眼鏡拭き用クロスに関する技術を開示している。特許文献２では、木綿地と超極細繊維地の間にスポンジを挟み、木綿地の両端に２つのポケットを付し、一方に動物の顔をあしらった眼鏡拭きに関する技術を開示している。
【先行技術文献】
【特許文献】
【０００３】
【特許文献１】特開２００８−１４５４４９号公報
【特許文献２】特開平８−２４８３６２号公報
【考案の概要】
【考案が解決しようとする課題】
【０００４】
しかしながら、特許文献１及び特許文献２に開示されている技術では、繊維素材が滑り易いため、眼鏡を拭くときに眼鏡拭きと手とが滑る場合がある。また、特許文献１及び特許文献２には、眼鏡拭きが手から滑らないようにする記載がない。
【０００５】
本考案は、繊維布材を用いて眼鏡を拭く眼鏡拭きであって、眼鏡を拭くときに眼鏡拭きが手から滑ることを防止することができる眼鏡拭きを提供することを目的とする。
【課題を解決するための手段】
【０００６】
上記課題を解決するために、本考案の一つの実施形態は、繊維布材を用いて眼鏡を拭く眼鏡拭きであって、前記眼鏡に接触させて、該眼鏡の表面を拭く、前記繊維布材を配置した表面部と、前記表面部の反対側で、合成樹脂シート部材を配置した裏面部とを備える、ことを特徴とする眼鏡拭きを提供する。
【０００７】
本考案の他の実施形態は、上記の眼鏡拭きであって、前記合成樹脂シート部材は、天然ゴム又は合成ゴムであることを特徴とする眼鏡拭きであってもよい。
【０００８】
本考案の他の実施形態は、上記のいずれか１つの眼鏡拭きであって、前記合成樹脂シート部材は、合成樹脂を霧状にして付着させたことを特徴とする眼鏡拭きであってもよい。
【考案の効果】
【０００９】
本考案に係る眼鏡拭きによれば、眼鏡を拭くときに眼鏡拭きが手から滑ることを防止することができる。また、本考案に係る眼鏡拭きによれば、デザイン上の自由度を損なうことなく、汎用性と簡便性と利便性を高めることができる。
【図面の簡単な説明】
【００１０】
【図１】本考案の実施形態に係る眼鏡拭きの一例を示す平面図である。
【図２】本考案の実施形態に係る眼鏡拭きの一例を示す側面図である。
【考案を実施するための形態】
【００１１】
実施形態に係る眼鏡拭きの例を用いて、本考案を説明する。なお、本考案は、以後に説明する眼鏡拭き以外でも、眼鏡を拭くときに眼鏡拭きが手から滑ることを防止することができるもの（部品、部材、商品、製品など）であれば、いずれのものにも用いることができる。ここで、眼鏡拭きの色は、特に限定されない。眼鏡拭きの色は、透明、半透明、色付きのものであってもよい。また、眼鏡拭きの色は、説明書きを付記したもの、使用者（消費者）の趣味趣向に合わせた柄のものであってもよい。眼鏡拭きの形状の隅部は、角ばっていてもよく、丸みを帯びていてもよい。
【００１２】
以後に、本考案を説明する。
【００１３】
図１及び図２を用いて、本考案の実施形態に係る眼鏡拭きの構成を説明する。ここで、図１は、本考案の実施形態に係る眼鏡拭き１００の一例を示す平面図である。図２は、本考案の実施形態に係る眼鏡拭き１００の一例を示す側面図である。なお、図１等に示す眼鏡拭きの構成等は一例であり、本考案は図１等に示す眼鏡拭き等に限定されるものではない。
【００１４】
図１に示すように、本考案に係る眼鏡拭き１００は、繊維布材等を用いて眼鏡を拭く布地である。眼鏡拭き１００は、眼鏡に接触させることで眼鏡の表面を拭く表面部１１と、合成樹脂シート部材を配置した裏面部１２とを備える。
【００１５】
図１及び図２に示すように、眼鏡拭き１００は、表面部１１の眼鏡を拭く表面とは反対側の表面に、裏面部１２を配置している。なお、本考案に係る眼鏡拭き１００の厚さは、特に限定されないが、０．１ｍｍから３ｍｍの間であることが好ましい。
【００１６】
裏面部１２は、合成樹脂のシート部材を用いることができる。また、裏面部１２は、合成樹脂として、天然ゴム又は合成ゴムを用いてもよい。更に、裏面部１２は、合成樹脂を霧状にして表面部１１の一表面に付着させたものであってもよい。なお、本考案に係る眼鏡拭き１００は、表面部１１の一部分に合成樹脂シート部材を配置したものであってもよい。
【００１７】
これにより、本考案に係る眼鏡拭き１００によれば、裏面部１２の合成樹脂を滑り止めに利用することができるので、眼鏡を拭くときに指の間で眼鏡拭きが滑ることを防止することができる。また、本考案に係る眼鏡拭き１００によれば、合成樹脂を霧状にして表面部１１の表面に付着させることができるので、滑り止め機能を付加した眼鏡拭きを低価格で製造することができる。
【００１８】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００１９】
１００  ：  眼鏡拭き
１１  ：  表面部
１２  ：  裏面部
【図１】
0003200073.tif 000003
【図２】
0003200073.tif 000004
(57)【要約】【課題】故障しにくく、設備費を抑えて揚水可能な揚水装置を提供する。【解決手段】管状または樋状の本体１と、基板２と、杭とを有する。本体１は、河川の水面Ｗより低い位置に河川の上流を向いて配置された上流入口１ａと、河川の水面Ｗより高い位置に、向く角度を調整可能に配置された下流出口１ｂとを有する。基板２は本体１に設けられて河川の土手Ｇに沿って配置される。杭は基板２に設けられて土手Ｇに突き刺して設置される。【選択図】図１
0003200078.tif 000002
【実用新案登録請求の範囲】
【請求項１】
管状または樋状の本体を有し、
前記本体は、河川の水面より低い位置に河川の上流を向いて配置された上流入口と、河川の水面より高い位置に、向く角度を調整可能に配置された下流出口とを有し、
前記上流入口から取水し、河川の流れで揚水して前記下流出口から排水することを、
特徴とする揚水装置。
【請求項２】
前記本体に設けられて河川の土手に沿って配置するための基板と、
前記基板に設けられて前記土手に突き刺して設置するための杭とを、
有することを特徴とする請求項１記載の揚水装置。
【考案の詳細な説明】
【技術分野】
【０００１】
本考案は、河川水等を揚水可能な揚水装置に関する。
【背景技術】
【０００２】
動力を要さずに揚水する装置として、流水路中に設けた水車を利用して圃場等に揚水する装置が開示されている（例えば、特許文献１参照）。
【先行技術文献】
【特許文献】
【０００３】
【特許文献１】特開平７−２３３７９７号公報
【考案の概要】
【考案が解決しようとする課題】
【０００４】
しかしながら、特許文献１に示す装置では、水車やスクリューポンプを必要とするため、その設備費が嵩むとともに故障しやすいという課題があった。
【０００５】
本考案は、このような課題に着目してなされたもので、故障しにくく、設備費を抑えて揚水可能な揚水装置を提供することを目的とする。
【課題を解決するための手段】
【０００６】
上記目的を達成するために、本考案に係る揚水装置は、管状または樋状の本体を有し、前記本体は、河川の水面より低い位置に河川の上流を向いて配置された上流入口と、河川の水面より高い位置に、向く角度を調整可能に配置された下流出口とを有し、前記上流入口から取水し、河川の流れで揚水して前記下流出口から排水することを、特徴とする。
【０００７】
本考案に係る揚水装置は、上流を向いた上流入口から取水し、河川の流れで揚水して下流出口から排水する。下流出口は、向く角度を調整することで任意の方向に排水することができる。本考案に係る揚水装置は、水車やスクリューポンプを使用せずに揚水可能なため、故障しにくく、設備費を抑えることができる。
【０００８】
本考案に係る揚水装置は、前記本体に設けられて河川の土手に沿って配置するための基板と、前記基板に設けられて前記土手に突き刺して設置するための杭とを、有することが好ましい。
【０００９】
本考案に係る揚水装置は、基板を河川の土手に沿って配置し、杭を土手に突き刺すことにより、土手に容易に設置することができる。
【考案の効果】
【００１０】
本考案によれば、故障しにくく、設備費を抑えて揚水可能な揚水装置を提供することができる。
【図面の簡単な説明】
【００１１】
【図１】本考案の実施の形態の揚水装置を示す側面図である。
【図２】図１に示す揚水装置の平面図である。
【図３】図１に示す揚水装置の正面図である。
【考案を実施するための形態】
【００１２】
以下、図面に基づき本考案の実施の形態について説明する。
図１および図２に示すように、本考案の実施の形態の揚水装置は、管状の本体１と、基板２と、杭３とを有する。
【００１３】
本体１は、円形の横断面形状のフレキシブルチューブから成り、上流入口１ａが下流出口１ｂより大きく、上流入口１ａから下流出口１ｂにかけて徐々に細くなっている。上流入口１ａは、河川の水面Ｗより低い位置に河川の上流を向いて配置されている。下流出口１ｂは、河川の水面Ｗより高い位置に配置されている。本体１は、下流出口１ｂの向く角度を調整可能で、かつ調整した角度を保持可能となっている。
【００１４】
基板２は、本体１に一体的に設けられて河川の土手Ｇに沿って配置可能となっている。杭３は、基板２に複数設けられ、土手Ｇに突き刺して設置可能となっている。
これにより、揚水装置は、上流入口１ａから取水し、河川の流れで揚水して下流出口１ｂから排水するようになっている。
【００１５】
次に、作用について説明する。
図１〜図３に示すように、揚水装置は、基板２を河川の土手Ｇに沿って配置し、杭３を土手Ｇに突き刺すことにより、土手Ｇに設置して使用される。揚水装置は、上流を向いた上流入口１ａから取水し、河川の流れで揚水して下流出口１ｂから排水する。下流出口１ｂは、向く角度を調整することで任意の方向に排水することができる。揚水装置は、水車やスクリューポンプを使用せずに揚水可能なため、故障しにくく、設備費を抑えることができる。
なお、揚水装置は、管状の本体１の代わりに樋状の本体１を用いてもよい。
【符号の説明】
【００１６】
１  本体
２  基板
３  杭
１ａ  上流入口
１ｂ  下流出口
Ｗ  水面
Ｇ  土手
【図１】
0003200078.tif 000003
【図２】
0003200078.tif 000004
【図３】
0003200078.tif 000005
(57)【要約】【課題】設備費とランニングコストを抑えて揚水可能な揚水船を提供する。【解決手段】船本体１と揚水装置２とを有する。揚水装置２は管状の本体１１と取水角度調整部１２とを有する。本体１１は、船本体１の喫水線３より低い位置に船本体１の船首方向を向いて配置された先端開口１１ａと、向く角度を調整可能な後端開口とを有する。取水角度調整部１２は、先端開口１１ａの向く角度を調整可能である。さらに、先端開口１１ａを開閉可能な弁を有する。揚水装置２は、船本体１が前進するとき先端開口１１ａから取水し、推進力で揚水して後端開口から排水する。【選択図】図１
0003200077.tif 000002
【実用新案登録請求の範囲】
【請求項１】
船本体と、揚水装置とを有し、
前記揚水装置は、管状の本体と取水角度調整部とを有し、
前記本体は、前記船本体の喫水線より低い位置に前記船本体の船首方向を向いて配置された先端開口と、前記船本体の喫水線より高い位置に、向く角度を調整可能に配置された後端開口とを有し、
前記取水角度調整部は、前記先端開口の向く角度を調整可能な構成を有し、
前記船本体が前進するとき前記先端開口から取水し、推進力で揚水して前記後端開口から排水することを、
特徴とする揚水船。
【請求項２】
前記揚水装置は、前記先端開口を開閉可能な弁を有し、前記後端開口から投入した魚餌を前記先端開口から排出可能な構成を有することを、
特徴とする請求項１記載の揚水船。
【考案の詳細な説明】
【技術分野】
【０００１】
本考案は、海水等を揚水可能な揚水船に関する。
【背景技術】
【０００２】
船舶においてトローリングをする時、海水をスプレーして小魚の群れに見せかけて大きな魚を引き寄せるために、船舶の走行中に推進力を利用して、海水を吸い込み、導管内に内蔵したポンプを運転して海水をスプレーする装置が開示されている（例えば、特許文献１参照）。
【先行技術文献】
【特許文献】
【０００３】
【特許文献１】実用新案登録第３００１７９１号公報
【考案の概要】
【考案が解決しようとする課題】
【０００４】
しかしながら、特許文献１に示す装置では、ポンプを必要とするため、その設備費とランニングコストが嵩むという課題があった。
【０００５】
本考案は、このような課題に着目してなされたもので、設備費とランニングコストを抑えて揚水可能な揚水船を提供することを目的とする。
【課題を解決するための手段】
【０００６】
上記目的を達成するために、本考案に係る揚水船は、船本体と、揚水装置とを有し、前記揚水装置は、管状の本体と取水角度調整部とを有し、前記本体は、前記船本体の喫水線より低い位置に前記船本体の船首方向を向いて配置された先端開口と、前記船本体の喫水線より高い位置に、向く角度を調整可能に配置された後端開口とを有し、前記取水角度調整部は、前記先端開口の向く角度を調整可能な構成を有し、前記船本体が前進するとき前記先端開口から取水し、推進力で揚水して前記後端開口から排水することを、特徴とする。
【０００７】
本考案に係る揚水船は、前進するとき、揚水装置により、船首方向を向いた先端開口から取水し、推進力で揚水して後端開口から排水する。後端開口は、向く角度を調整することで任意の方向に排水することができる。揚水量は、取水角度調整部により先端開口の向く角度を調整することで変えることができる。本考案に係る揚水船は、ポンプを使用せずに揚水可能なため、設備費とランニングコストを抑えることができる。船本体は、漁船に限らず、いかなる船舶から成ってもよい。
【０００８】
本考案に係る揚水船において、前記揚水装置は、前記先端開口を開閉可能な弁を有し、前記後端開口から投入した魚餌を前記先端開口から排出可能な構成を有することが好ましい。
【０００９】
本考案に係る揚水船は、弁で先端開口を開閉することで揚水および揚水停止することができる。揚水装置の先端開口から魚餌を排出させることにより、撒き餌を行うこともできる。
弁は、先端開口の内部に先端開口の直径方向の軸を中心として回転可能に設けられたレンズから成ってもよい。この場合、レンズから成る弁により、揚水装置の先端開口から水中を拡大して見ることができる。
【考案の効果】
【００１０】
本考案によれば、設備費とランニングコストを抑えて揚水可能な揚水船を提供することができる。
【図面の簡単な説明】
【００１１】
【図１】本考案の実施の形態の揚水船を示す側面図である。
【図２】図１に示す揚水船の平面図である。
【考案を実施するための形態】
【００１２】
以下、図面に基づき本考案の実施の形態について説明する。
図１および図２に示すように、本考案の実施の形態の揚水船は、船本体１と、２つの揚水装置２とを有している。船本体１は、一般の漁船から成る。各揚水装置２は、管状の本体１１と、取水角度調整部１２と、弁１３とを有している。
【００１３】
本体１１は、円形の横断面形状のフレキシブルチューブから成り、先端開口１１ａが後端開口１１ｂより大きく、先端開口１１ａから後端開口１１ｂにかけて徐々に細くなっている。先端開口１１ａは、船本体１の喫水線３より低い位置に船本体１の船首方向を向いて配置されている。後端開口１１ｂは、船本体１の喫水線３より高い位置に、向く角度を調整可能で、かつ調整した角度を保持可能に配置されている。図２では、本体１１はＪ字状に湾曲し、後端開口１１ｂは船本体１の甲板を洗うのに適した甲板上の位置に配置されている。各本体１１は、固定部材１４により中間部で船本体１の右舷および左舷の対称の位置に取り付けられている。
【００１４】
各取水角度調整部１２は、本体１１の先端付近に設けられ、船本体１の右舷および左舷の対称の位置に取り付けられている。各取水角度調整部１２は、本体１１の先端開口１１ａの向く角度を調整可能となっている。
各弁１３は、先端開口１１ａの内部に先端開口１１ａの直径方向の軸を中心として回転可能に設けられ、先端開口１１ａを開閉可能となっている。
【００１５】
これにより、揚水装置２は、船本体１が前進するとき先端開口１１ａから取水し、後端開口１１ｂから排水するようになっている。また、揚水装置２は、後端開口１１ｂから投入した魚餌を先端開口１１ａから排出可能となっている。
【００１６】
次に、作用について説明する。
図１および図２に示すように、揚水船は、前進するとき、揚水装置２により、船首方向を向いた先端開口１１ａから取水し、推進力で揚水して後端開口１１ｂから排水する。後端開口１１ｂは、向く角度を調整することで任意の方向に排水することができる。甲板上に排水して排水を甲板を洗うのに用いたり、海水を船の周囲にスプレーして大きな魚を引き寄せるのに用いてもよい。また、揚水装置２の先端開口１１ａから魚餌を排出させることにより、撒き餌を行うこともできる。
【００１７】
揚水量は、取水角度調整部１２により先端開口１１ａの向く角度を調整することで変えることができる。また、弁１３で先端開口１１ａを開閉して揚水および揚水停止することができる。
揚水船は、ポンプを使用せずに揚水可能なため、設備費とランニングコストを抑えることができる。
【符号の説明】
【００１８】
１  船本体
２  揚水装置
３  喫水線
１１  本体
１１ａ  先端開口
１１ｂ  後端開口
１２  取水角度調整部
１３  弁
１４  固定部材
【図１】
0003200077.tif 000003
【図２】
0003200077.tif 000004
(57)【要約】      （修正有）【課題】地下水をできる限り使用しないで川の水や消雪によって生ずる消雪水を循環させ消雪効果を挙げる流水式消雪装置を提供する。【解決手段】地中に埋設し川や水道から水の供給を自在とした貯留タンク１と、傾斜させ且つ水をランダムに流れ落ちるよう表面を粗面とした対象地面２と、対象地面の下端縁部に設けた受け溝３と、貯留タンク内に内設した揚水ポンプ４と、対象地面の傾斜上部位置に配置し周面に放水孔を設けた放水パイプ６とからなり、揚水ポンプは揚水ホース７を介して放水パイプに注水自在で放水孔より対象地面に放水自在とし、対象地面を流下した消雪水は受け溝を介して貯留タンクに循環自在とした。【選択図】図１
0003200042.tif 000002
【実用新案登録請求の範囲】
【請求項１】
地中に埋設し川や水道から水の供給を自在とした貯留タンクと、傾斜させ且つ水をランダムに流れ落ちるよう表面を粗面とした対象地面と、対象地面の下端縁部に設けた受け溝と、貯留タンク内に内設した揚水ポンプと、対象地面の傾斜上部位置に配置し周面に放水孔を設けた放水パイプとよりなり、揚水ポンプは揚水ホースを介して放水パイプに注水自在で放水孔より対象地面に放水自在とし、対象地面を流下した消雪水は受け溝を介して貯留タンクに循環自在とした流水式消雪装置。
【考案の詳細な説明】
【技術分野】
【０００１】
本考案は、駐車場、道路などの対象地面の積雪を循環する流水により消雪する装置に関する。
【背景技術】
【０００２】
地面などの積雪を消雪する装置としては、主に地下水を揚水し対象地面に散水する状態で消雪する方法がとられているが、大量の地下水を汲みあげる結果地盤沈下等の諸問題が生じており、又積雪を吹き飛ばす方法とか強制的に移動させるなどの方法がとられているが、これらのいずれもが高価な機械を使用するため経済的負担が大きく、同時にこれを操作する労働力が必要となり勢い経済的負担が大きくなる。
【考案の概要】
【考案が解決しようとする課題】
【０００３】
そこで本考案は、地下水をできる限り使用しないで川の水や消雪によって生ずる消雪水を循環さて消雪効果を挙げようとするものである。
【課題を解決するための手段】
【０００４】
地中に埋設し川や水道から水の供給を自在とした貯留タンクと、該貯留タンクの周囲に設けて該タンクからの溢れた水を地中に流し込み自在としたフィルター層と、傾斜させ且つ水をランダムに流れ落ちるよう表面を粗面とした対象地面と、対象地面の下端縁部に設けた受け溝と、貯留タンク内に内設した揚水ポンプと、対象地面の傾斜上部位置に配置し周面に放水孔を設けた放水パイプとよりなり、揚水ポンプは揚水ホースを介して放水パイプに注水自在で放水孔より対象地面に放水自在とし、対象地面を流下した消雪水は受け溝を介して貯留タンクに循環自在とした流水式消雪装置である。
【考案の効果】
【０００５】
本考案の効果として、貯留タンク内の水は地熱で温められ、その水が傾斜する対象地面の上部位置から放水され、対象地面の下部に流れていくので降り積もる雪は絶えず消雪され、常時流れる水は対象地面上をランダムに流れているので凍りつくことなくスムーズな消雪ができ、この消雪水は受け溝を伝って貯留タンク内に流下し循環されるので殆ど補水の必要がなく経済的に消雪ができ、地下水は殆ど使用しないので地盤沈下などの生ずる恐れがない。又貯留タンクから溢れた水はフィルター層を伝って地中に流し込まれ地下水減少による諸被害を防止することができる。
【図面の簡単な説明】
【０００６】
【図１】本考案に係る流水式消雪装置の断面説明図
【実施例】
【０００７】
本案を図示の実施例により詳記すると採石、フィルター層、玉石、砂利等からなるフィルター層８により囲み且つ地中に埋設し川や水道から流水の供給を自在とした貯留タンク１と、コンクリート等により舗装されていて疎水効果を持たせて傾斜させ且つ水をランダムに流れ落ちるよう表面を粗面とした対象地面２と、対象地面２の下端縁部に設けた受け溝３と、貯留タンク１内に内設した揚水ポンプ４と、対象地面２の傾斜上部位置に配置し周面に放水孔５を設けた放水パイプ６とよりなり、揚水ポンプ４は揚水ホース７を介して放水パイプ６に注水自在として放水孔５より対象地面２に放水自在とし、対象地面２を流下した消雪水は受け溝３を介して貯留タンク１に循環自在としたものである。
【０００８】
貯留タンク１は地熱を吸収しやすいよう地面やフィルター層８との接触面積を大きくした蛇腹形状のプラスチック製のものがよく、一般的な乗用車２〜３台分の駐車面積を対象地面２とするときは、貯留タンク１の大きさは直径１m、長さ２〜５mのものを使用するのが望ましい。埋設する深さも貯留タンク１の長さに対応して埋設する。もちろん地下水を汲みあげて貯留タンク１に供給してもよい。
【０００９】
対象地面２は表面が凹凸のある粗面として上部からの流下する水が蛇行しながらランダムに流れるようにする。対象地面２の表面を平滑面にすると流水は一定の水道（みずみち）を流れて他を流れにくくなって全面的な消雪効果が薄くなる恐れがある。
貯留タンク１から溢れた水はフィルター層８を伝って地中に流し込まれ地番沈下等の弊害を防止する。
【００１０】
降雪のある時は図示しないスイッチにより揚水ポンプ４を作動させ、揚水ホース７を介して放水パイプ６に注水し、放水孔５より対象地面２に放水する。対象地面２を流下した消雪水は受け溝３を介して貯留タンク１に循環させる。貯留タンク１から溢れた水はフィルター層８を伝って地中深く流し込まれ地下水として還元される。
【符号の説明】
【００１１】
１：貯留タンク
２：対象地面
３：受け溝
４：揚水ポンプ
５：放水孔
６：放水パイプ
７：揚水ホース
８：フィルター層
【図１】
0003200042.tif 000003
(57)【要約】      （修正有）【課題】電子機器を移動体に装着する際に、複数通りの形態をとることができる電子機器装着具を提供する。【解決手段】実施形態の電子機器装着具は、電子機器を収容するホルダ１１の裏面において、端部がホルダ１１に支持され、ホルダ１１の裏面を押圧する方向に弾性を有し、ホルダ１１の裏面に対峙する支持板１２によるクリップ機構を設けることで、移動者のポケット、ベルト等に挟むようにして簡単に装着することができるようにし、支持板１１の前記ホルダの裏面に対峙する面にコ字型の切り込み部１２２を設け、この切り込み部１２２にネットストラップを挿通させることでネックストラップにも簡単に装着することができるようにした。【選択図】図１
0003200047.tif 000002
【実用新案登録請求の範囲】
【請求項１】
電子機器を収容するホルダと、前記ホルダの裏面に端部が支持され、前記ホルダの裏面を押圧する方向に弾性を有し、前記ホルダの裏面に対峙する支持板とを備え、前記支持板の前記ホルダの裏面に対峙する面にコ字型の切り込み部を有する電子機器装着具。
【請求項２】
前記切り込み部は、前記支持板の長手方向に対して平行する方向が切り込み口となり、垂直な方向に切り込みが入るように形成される請求項１記載の電子機器装着具。
【請求項３】
前記切り込み部は、切り込み口の端部に突起部が形成される請求項１記載の電子機器装着具。
【考案の詳細な説明】
【技術分野】
【０００１】
本考案は、小型の電子機器を移動体に装着するための電子機器装着具に関する。
【背景技術】
【０００２】
近時、移動体（者）の位置を管理するシステムにおいて、移動体にビーコンを発信する小型送信機を装着することが要求されている。その装着具には、使用形態に応じて複数の装着の仕方が選択できることが望ましい。
【先行技術文献】
【特許文献】
【０００３】
【特許文献１】特開２００９−１１２６７７号公報
【考案の概要】
【考案が解決しようとする課題】
【０００４】
しかしながら、従来の装着具では、１通りの使用形態に対応しており、使用形態を使い分けるには装着具の付け替えが必要であった。
【０００５】
この考案の目的は、電子機器を移動体に装着する際に、複数通りの形態をとることのできる電子機器装着具を提供することにある。
【課題を解決するための手段】
【０００６】
実施形態の電子機器装着具は、電子機器を収容するホルダと、前記ホルダの裏面に端部が支持され、前記ホルダの裏面を押圧する方向に弾性を有し、前記ホルダの裏面に対峙する支持板とを備え、前記支持板の前記ホルダの裏面に対峙する面にコ字型の切り込み部を有する構造とする。
【図面の簡単な説明】
【０００７】
【図１】実施形態に係る電子機器装着具の構成を示す６面図。
【図２】図１に示す電子機器装着具の表裏面を示す斜視図。
【図３】図１に示す電子機器装着具の組み立て工程を示す分解斜視図。
【図４】図１に示す電子機器装着具の支持板に形成された切り込み部にストラップを通した様子を示す斜視図。
【考案を実施するための形態】
【０００８】
以下、図面を参照して、本考案の実施の一形態について説明する。
【０００９】
図１は、実施形態に係る電子機器装着具の構成を示すもので、（ａ）は正面図、（ｂ）は上面図、（ｃ）は底面図、（ｄ）は左側面図、（ｅ）は右側面図、（ｆ）は背面図である。また、図２（ａ）に表面側の外観図、図２（ｂ）に裏面側の外観図を示し、図３に分解斜視図を示し、図４にストラップ取り付け時の様子を示す。
【００１０】
本実施形態の電子機器装着具は、電子機器本体を収容するホルダ１１と、当該ホルダ１１の裏面に装着されるクリップ用の支持板１２と、支持板１２をホルダ１１に固定するビス１３とを備える。
【００１１】
上記ホルダ１１は樹脂製の円筒形状であり、内部に電子機器本体が収容される。また、ホルダ１１の周囲の一部には凸部１１１が形成され、この凸部１１１には裏面からビス１３によりねじ止めするためのねじ穴１１２が形成される。
【００１２】
一方、支持板１２は、長方形形状の金属板を折曲したもので、一方の端部には、ビス１３を挿通するための孔１２１が形成される。また、支持板１２は、孔１２１が形成された第１の領域を支持面とし、谷折りに曲げてジャケット１１の裏面から離れる第２の領域と、さらに山折りにしてホルダ１１の裏面を圧接する第３の領域と、さらに谷折りに曲げて他方の端部がホルダ１１の裏面から離れる第４の領域が形成される。
【００１３】
さらに、上記支持板１２には、図１（ｆ）に示すように、上記第３の領域に、支持板１２の長手方向に対して平行する方向が切り込み口となり、垂直な方向に切り込みが入るように、コ字型の切り込み部１２２が形成される。この切り込み部１２２は、コ字型の上下辺部分が切り込み口の端部を残して幅広に切り取られ、切り込み口の端部に抜け防止用の突起部１２２１，１２２２が形成される。
【００１４】
すなわち、上記構成による電子機器装着具は、支持板１２によるクリップ機構によって、移動者のポケット、ベルト等に挟むことができる。また、入室許可証等のネックストラップに装着する場合には、図４に示すように、支持板１２に形成された切り込み部１２２にストラップ１４を通すだけでよい。この場合、切り込み部１２２には、突起部１２２１，１２２２が形成されているので、いったん通したストラップ１４は簡単には外れない。
【００１５】
以上のように、上記実施形態の電子機器装着具によれば、電子機器を収容するホルダ１１の裏面において、端部がホルダ１１に支持され、ホルダ１１の裏面を押圧する方向に弾性を有し、ホルダ１１の裏面に対峙する支持板１２によるクリップ機構が設けられているので、移動者のポケット、ベルト等に挟むようにして簡単に装着することができる。また、支持板１１の前記ホルダの裏面に対峙する面にコ字型の切り込み部１２２にネックストラップ１４を挿通させることでネックストラップ１４にも簡単に装着することができる。このように、電子機器を移動体に装着する際に、複数通りの形態をとることができる。
【００１６】
尚、上記の実施形態では、電子部品を収容するホルダ１１が円筒形状の場合で説明したが、他の形状であっても同様に実施可能である。また、支持板１２には金属板が使用されるものとして説明したが、強度が得られるのであれば樹脂製でもよい。また、ビス１３で支持板１２をホルダ１１に固定するものとして説明したが、他の固定方法でも実施可能である。
【００１７】
以上のように、本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【符号の説明】
【００１８】
１１…ホルダ、１１１…凸部、１１２…ねじ穴、１２…支持板、１２１…孔、１２２…切り込み部、１２２１，１２２２…突起部、１３…ビス、１４…ネックストラップ。
【図１】
0003200047.tif 000003
【図２】
0003200047.tif 000004
【図３】
0003200047.tif 000005
【図４】
0003200047.tif 000006
(57)【要約】      （修正有）【課題】風や地震でもローソクを収納する容器が容易に倒れず、ローソクの火も容易に消えないローソク燈明装置を提供する。【解決手段】磁石５を外底に貼り付けたガラス容器１の内底部にローソク立てを有するローソク台３を設置したローソク燈明装置を鋼板やブリキ板張のテーブルに置く。磁力によってガラス容器は容易に倒れず、ローソクに点火してもガラス容器に守られ風などの影響が少なく、ローソク火を燃え尽きさせる事が可能であり且つ、磁力での接合の為に着脱、携帯が可能である。【選択図】図１
0003200004.tif 000002
【実用新案登録請求の範囲】
【請求項１】
開口部と筒部及び底部とでなり、該底外面に磁石を貼り付けたガラス容器と、該容器内底部にローソク立てを有するローソク台を設置し、一体として構成されることを特徴とするローソク燈明装置。
【請求項２】
請求項１のガラス容器は透明又は半透明で円筒又は多角筒状で筒部は直筒のみに限らず膨らみや絞り部を有し、底部の平底又は凹面底の外面に磁石を貼り付けた事を特徴とする請求項１のローソク燈明装置。
【請求項３】
請求項１に記載のローソク台は正三角形状又は正多角形状の平面盤で、該平面盤は盤面の中心部に盤面に垂直なローソク立てと反対面に請求項１及び２に記載のガラス容器の内周壁面下部に接して、内面底部にローソク台を固定する複数の支持脚を有する耐熱材料製のローソク台を内蔵する事を特徴とするローソク燈明装置。
【考案の詳細な説明】
【考案の詳細な説明】
【技術分野】
【０００１】本考案は開口部と筒体部及び底部とでなり、底外面に磁石を貼り付けたガラス容器と、該容器内底部にローソク立てを有する耐熱性ローソク台を設置し、一体として構成され、容器の転倒を防止しローソクの炎を燃え尽きさせる事に関するローソク燈明装置に関するものである。
【背景技術】
【０００２】
【特許文献１】  特開平２００６−１８３３９６号上記の特開平２００６−１８３３９６号では、ローソク本体に防風カバーが取り付けられてローソクの焔を保護している。【０００３】そのほかのローソク風除け具は基台にローソク立ての支持針固設のため、ローソクに着火するときは、基台から防風カバーを取り外してローソクに着火していた。
【考案の開示】
【考案が解決しようとする課題】
【０００４】解決しようとする問題点は、屋外で風によりローソクの炎が消えたり、ローソク台や該ローソク台を収納するガラス容器が倒れるのを防止し、ローソクの火を燃え尽きさせようとするものである。
【課題を解決するための手段】
【０００５】そのため、本考案は、開口部と筒体部及び底部からなるガラス容器１の底外面に磁石５を貼り付け、容器内底部に設置したローソク立て２を有する着脱自在の支持脚部６を有するローソク台３とで一体構成するローソク燈明装置により課題を解決しようとするものである。【０００６】ローソクの炎は容器１内で風の影響を受けることが少なく、更に、ローソク台３は一例として、平板正三角形の各コーナーを下方向に直角に折り曲げ支持脚とし、容器１の内面に密着させて設置されるのでローソクやローソク台も内部面に固定され容器１が倒れなければ倒れる事はない。【０００７】容器１は磁気感応台であれば磁力で強く密着するも着脱自在である、ローソク台も同様に着脱自在である。従って、磁気感応のある平面台上であれば何処にでも設置でき且つ、容易に携帯できるので災害時などでの光源として有効に使用できる。
【考案の効果】
【０００８】上述に如く、ガラス容器１はローソク台共に着脱自在なので、内外の洗浄が出来る。【０００９】墓参などでもローソク炎の消えない燈明器具として携帯し有効に使用できる。【００１０】インテリヤとしてガーデニングなどでの使用も裸火でなく安全に使用できる。
【考案を実施する為の最良の形態】
【００１１】本考案の燈明装置は磁石での接合により鋼板やブリキ板の台が有れば安定した状態で停電時の光源として、又墓参の折や災害時に於いても役に立ち有効に使用できる照明装置として供給できる。
【実施例】
【００１２】図１は、本考案に関わるローソク燈明装置の全体図である。
ガラス容器１は透明で、ローソク４の炎の具合を見ることが出来、残り時間等容易に判断が出来、また磁力での接合の為に仮令地震が有っても磁力感応台上であればガラス容器１だけが倒れる事はなく火災の心配も軽減される。【００１３】仮に燈明装置が倒れたとしてもガラス容器１内のローソク４の炎であるから裸火として直接被燃焼物に触れることが無く火災のリスクは軽減される。【００１４】ローソク４の火を消すには開口部に蓋をすれば容易に消せるし、点火時もローソクが短くても容器１を傾けてローソク台３を開口部にずらせば点火が容易に出来る。【００１５】容器１を様々な色に変えたりする事によりインテリヤとしての使用も可能である。
【図面の簡単な説明】
【００１６】
【図１】  ローソクを立てた全体の立面透し図。
【図２】  容器内のローソク立てとローソク台の平面図。
【図３】  ローソク台の斜視図。
【符号の説明】
【００１７】  １…ガラス容器、
２…ローソク立て、
３…ローソク台、
４…ローソク
５…磁石
６…ローソク台の脚
【図１】
0003200004.tif 000003
【図２】
0003200004.tif 000004
【図３】
0003200004.tif 000005
【手続補正書】
【提出日】平成27年7月13日(2015.7.13)
【手続補正１】
【補正対象書類名】実用新案登録請求の範囲
【補正対象項目名】全文
【補正方法】変更
【補正の内容】
【実用新案登録請求の範囲】
【請求項１】
開口部と筒体部及び底部からなるガラス容器と前記ガラス容器の底部外面に貼り付けた磁石と前記ガラス容器の底部内面に設置されたローソク立てを有する着脱自在のローソク台とで構成され、磁力にて設置台に強く固定されることを特徴とするローソク燈明装置。
【請求項２】
前記ガラス容器は円筒又は多角筒状で透明又は半透明で平底又は稍凹平面底を有する請求項１のローソク燈明装置。
【請求項３】
前記ローソク台は正三角形状又は正多角形状の平面盤で、該平面盤は盤面の中心部に盤面に垂直なローソク立てと反対面に前記ガラス容器の内周壁面下部に接して、内面底部にローソク台を固定する複数の支持脚を有する耐熱材料製のローソク台を内蔵する事を特徴とする請求項１又は２に記載のローソク燈明装置。
【手続補正２】
【補正対象書類名】図面
【補正対象項目名】全図
【補正方法】変更
【補正の内容】
【図１】
0003200004.tif 000006
【図２】
0003200004.tif 000007
【図３】
0003200004.tif 000008
(57)【要約】      （修正有）【課題】三角コーナーの生ごみの水切りをする時に、しっかりと水切りのできる三角コーナー用生ごみの押圧盤を提供する。【解決手段】三角コーナーの内径に相応する大きさの押圧盤１を設け、押圧盤の片面に取っ手２を取り付け、使用時にはこちらが上面となることを特徴とする。【選択図】図２
0003200016.tif 000002
【実用新案登録請求の範囲】
【請求項１】
三角コーナーの内径に相応する大きさの押圧盤を設け、押圧盤の片面に取っ手を取り付け、使用時にはこちらが上面となることを特徴とする三角コーナー用生ごみの水切り押圧盤。
【考案の詳細な説明】
【技術分野】
【０００１】  本考案は、三角コーナーの生ごみの水切りをする時に、しっかりと水切りのできる三角コーナー用生ごみの水切り押圧盤に関するものである。
【背景技術】
【０００２】  従来、生ごみの水切りをする時は、流し台の三角コーナーに水切りネットをセットし、ペットボトルなどで生ごみの水を絞ったり、ゴム手袋をはめた手で絞っていた。
【特許文献１】
【考案の開示】
【考案が解決しようとする課題】
【０００３】  そのために次のような問題点があった。
（イ）生ごみの水切りをペットボトルの底を上から押しつけてする方法は、、バランスが悪く、平均的に押すことができず十分な水切りができなかった。
（ロ）ゴム手袋をはめた手で生ごみの水切りをした時、魚の骨や爪楊枝等が手に刺さり、痛く、危ない思いをした。
（ハ）生ごみの水切りが不十分だと、水分が残り匂いが臭かった。
（ニ）生ごみの水切りが十分にできないと、ごみの減量化に役に立たない。
（ホ）生ごみはその８０％以上が水分といわれている。生ごみの水切りが不十分だと、ごみが重く、ごみを出す人、またごみ収集車で働く人たちの負担になる。
本考案は、以上の問題点を解決するためになされたものである。
【課題を解決するための手段】
【０００４】  三角コーナーの内径に相応する大きさの押圧盤を設ける。押圧盤の片面に取っ手を取り付け、使用時にはこちらが上面となる。
以上を特徴とする三角コーナー用生ごみの水切り押圧盤である。
【考案の効果】
【０００５】  生ごみの水切りがしっかりとでき、ごみの減量化に役立つ。また、魚の骨等で手を傷つけることなくごみの処理ができ、流し台周りの汚れや臭いが亡くなり、キッチン等が清潔になる。また、生ごみの重さが減ることで、生ごみを出す人、ごみ収集車で働く人たちの負担が軽減される。
【考案を実施するための形態】
【０００６】  以下、本考案の実施の形態を説明する。
（イ）三角コーナー本体（５）の内径に相応する大きさの押圧盤（１）を設ける。
（ロ）押圧盤（１）の片面に取っ手（２）を取り付け、使用時にはこちらが上面となる。
本案は以上のような構造で、これを使用する時は、三角コーナー本体（５）の開口部から内壁に沿わせる形で、三角コーナー本体の底面まで水切りネット（３）をセットし、水切りネットの上端域は三角コーナー本体の開口縁から外へ折り返す。水切りネットの中に生ごみ（４）を入れ、生ごみがたまったら押圧盤を生ごみの上に置き、取っ手（２）を持って下方へと押し、生ごみの水分を十分に切る。水分を切った生ごみが入った水切りネット（３）を三角コーナー本体から取り出し、口を閉じて捨てる。
尚、水切りネットを使用しない場合も効果は同じである。また、押圧盤は、三角コーナー用のフタとしても利用できる。
【図面の簡単な説明】
【０００７】
【図１】本考案の斜視図
【図２】本考案の使用状態を示す斜視図
【符号の説明】
【０００８】    １  押圧盤
２  取っ手
３  水切りネット
４  生ごみ
５  三角コーナー本体
【図１】
0003200016.tif 000003
【図２】
0003200016.tif 000004
(57)【要約】      （修正有）【課題】容易に持ち運び可能で、かつドラム演奏者の身近に設置できるドラムを演奏する際に使用するスティック、マレット、ブラシ等の用具を置くトレイを提供する。【解決手段】トレイ１を、ドラム本体のフープ３に着脱可能なクランプ部２に結合させる。直接かつ容易に固定することができる。【選択図】図１
0003200013.tif 000002
【実用新案登録請求の範囲】
【請求項１】
ドラムを演奏する際に使用するスティック、マレット、ブラシ等の用具を置くトレイにおいて、着脱可能なクランプ部によりドラム本体のフープに直接固定できることを特徴とするトレイ。
【考案の詳細な説明】
【技術分野】
【０００１】本考案は、ドラムを演奏する際に使用するスティック、マレット、ブラシ等の用具を置くトレイに関する。
【背景技術】
【０００２】従来のドラムを演奏する際に使用するスティック、マレット、ブラシ等の用具の置き台としては、金属製のスタンドにネジ等で取り付けるタイプのものがある（非特許文献１）。【０００３】しかしながら、従来の金属製のスタンドに取り付けるタイプのものは、組み立てが必要であり、重く、かつ大きいために、容易に持ち運びができないという欠点があった。
また、ドラム演奏者の身近に設置できないため、スティックやブラシを瞬時に持ち替える場合には不便という欠点があった。
【先行技術文献】
【非特許文献】
【０００４】
【非特許文献１】「Ｐｅａｒｌ  Ｄｒｕｍｓ  ２０１５  Ｖｏｌ．２  カタログ」  パール楽器製造株式会社，２０１５年，ｐ．５７
【考案の概要】
【考案が解決しようとする課題】
【０００５】本考案は、以上のような従来の欠点に鑑み、持ち運びが容易で、軽量、かつドラム演奏者の身近に設置できるトレイを提供する事を目的としている。
【課題を解決するための手段】
【０００６】上記目的を達成するために、本考案にかかるトレイは、軽量な部材を利用し、クランプ部によりドラム本体のフープに直接かつ容易に固定できることとした。
【考案の効果】
【０００７】本考案によれば、トレイの持ち運びが容易であり、かつドラム演奏者の身近に設置ができ演奏上の不便が解消される。
【図面の簡単な説明】
【０００８】
【図１】本考案の実施の形態の構成を示す図である。
【図２】図１のトレイを示す斜視図である。
【図３】図１のクランプ部を示す正面図及び、図１のクランプ部とドラム本体のフープの接合を示す図である。
【図４】図１のトレイとクランプ部の接合部を示す図である。
【考案を実施するための形態】
【０００９】以下、本考案の実施の形態を図に基づいて説明する。
【実施例】
【００１０】図１は、本考案の実施形態にかかるトレイ１がクランプ部２と接合し、ドラム本体のフープ３に固定された状態を示す図である。【００１１】図２は、図１のトレイ１を示す斜視図である。トレイ１は、短辺の両側端４ａ、４ｂが閉ざされていないトレイ状になっている。本実施形態では、軽量で耐久性に優れたＡＢＳ樹脂を用いている。【００１２】図３（Ａ）は、図１のクランプ部２を示す正面図である。本実施形態では、軽量で耐久性に優れたＡＢＳ樹脂を用いている。クランプ部２は、凹凸部５ａ、５ｂがドラム本体のフープ３に接合する形状となっている。図３（Ｂ）は、図１のクランプ部２とドラム本体のフープ３の断面図を用いて接合する状態を示している。６の指掛け部を矢印の方向に広げることにより凹凸部５ａ、５ｂが同様に広がりフープ３をはさむ構成である。【００１３】図４（Ａ）は、図１のトレイ１とクランプ部２の平面を示す図である。トレイ１の接合穴７にクランプ部２の突起部８を挿入する構成となっている。図４（Ｂ）は、図１のトレイ１とクランプ部２の底面斜視図である。クランプ部２の突起部８の先端は両方向に伸びるツメ形状となっている。クランプ部２の突起部８は先端部を除けば円柱形状で、トレイ１の穴７に挿入後は水平方向に３６０度回転可能な状態となり、０度及び１８０度以外にある時は外れない構成となっている。
【産業上の利用可能性】
【００１４】本考案は、ドラムの演奏に係わる分野で利用される。
【符号の説明】
【００１５】１…トレイ、２…クランプ部、３…フープ、４ａ，４ｂ…トレイ短辺、
５ａ，５ｂ…クランプ部の凹凸部、６…クランプ部の指掛け部、
７…トレイの接合穴、８…クランプ部の突起部
【図１】
0003200013.tif 000003
【図２】
0003200013.tif 000004
【図３】
0003200013.tif 000005
【図４】
0003200013.tif 000006
(57)【要約】      （修正有）【課題】布団を内部に収納する布団カバーにおいて、掛け布団としても使用可能であり、寝袋としても使用可能な布団カバーを提供する。【解決手段】布団カバー外周部に開閉機構を備え、２つ折りにした際に当該開閉機構を閉じることで布団を筒状にし、全身を布団で覆うことで寝袋のような使用を可能にする。【選択図】図１
0003200029.tif 000002
【実用新案登録請求の範囲】
【請求項１】
内部に布団を収納する袋状の構造を持ち、本体外周部にジッパー、ボタン、面ファスナー、あるいはフックからなる開閉機構を設け、本体を２つ折りにした際に開閉機構を閉じることで筒状の寝袋に変形可能な布団カバー
【請求項２】
運搬、結束する際に使用する紐が本体外側に１つ以上備え付けられた請求項１記載の寝袋に変形可能な布団カバー
【考案の詳細な説明】
【技術分野】
【０００１】本考案は布団本体を収納した際に、通常の掛け布団カバーとしての機能に加え、布団を筒状に変形することで寝袋としても使用可能な布団カバーに関する考案である。
【背景技術】
【０００２】キャンプ用寝袋においては、寝袋の縁部分にジッパー等の開閉機構を設け、広げることで掛け布団のように使用できるものが存在している。【０００３】しかし、上記の機能はキャンプ用寝袋の追加機能であるため、寝袋外側を取外しできず、洗濯時は寝袋本体を丸洗いしなければならず、日常における掛け布団の代用として使用するには不便だった。【０００４】そして従来の寝袋は普段の就寝時に使用する場合を除き、自宅での保管スペース等が必要となる。
【考案の概要】
【考案が解決しようとする課題】
【０００５】本考案は上記のような従来の問題点を解決するために、室内で通常の掛け布団としても使用でき、キャンプ等において寝袋としても使用可能な布団カバーを提供することを目的としている。
【課題を解決するための手段】
【０００６】一般的な掛け布団を内部に収納できるよう袋状の構造にし、頭部分を除いた布団カバー外周部にファスナー、ボタン、マジックテープ、バックルを取り付けることで半分に折り畳んだ状態で開閉できるようにする。【０００７】また、一般的な寝袋に装備されている、寝袋本体を丸める、あるいは畳んだ際に束ねるための紐を備え付ける。
【考案の効果】
【０００８】掛け布団を頭部を除いた全身を覆う状態に変形することで、寝袋のように全身を包みこむ効果を得ることが可能となり、別途寝袋を購入する必要がなくなる。【０００９】本体に備え付けられた紐により布団を丸めた状態で保持することが可能となり、荷物の積み下ろし時や移動の際に寝袋が不意に広がることを防ぎ、運搬の際にストラップを掴み持ち上げることが可能となる。【０００９】布団カバーのみを取外し洗濯が可能となったことで衛生面が向上した。【００１０】内蔵する布団を変更することで、より細やかな体温調節が可能となった。
【図面の簡単な説明】
【００１１】
【図１】本考案に係る寝袋に変形可能な布団カバーの上図である。
【図２】本考案に係る寝袋に変形可能な布団カバーの寝袋状態の図である。
【図３】本考案に係る寝袋に変形可能な布団カバーの収納状態の図である。
【符号の説明】
【００１２】１−布団カバー本体  ２−紐  点線部−開閉機構
【図１】
0003200029.tif 000003
【図２】
0003200029.tif 000004
【図３】
0003200029.tif 000005